(57)【要約】【課題】光の取出効率を高くし易くて、照射光の色ムラも抑制し易い照明装置を提供すること。【解決手段】照明装置は、係止部を有する内周面を含む筐体と、筐体内に配置され、基板、及び基板に実装された発光素子を有する光源と、光源からの光が入光する入光部、及び光を投光する投光部５７を有するレンズ５０と、を備える。レンズ５０は、Ｒ方向の外側に突出すると共に係止部に係止される環状支持部５２をＺ方向の投光側に有する。環状支持部５２の外面に、凹凸を設ける。【選択図】図１０
2019153421.tif 000002
【特許請求の範囲】
【請求項１】
係止部を有する内周面を含む筐体と、
前記筐体内に配置され、基板、及び前記基板に実装された発光素子を有する光源と、
前記光源からの光が入光する入光部、及び光を投光する投光部を有する光学部材と、を備え、
前記光学部材は、径方向の外側に突出すると共に前記係止部に係止される環状支持部を前記基板の厚さ方向の投光側に有し、
前記環状支持部の外面には、凹凸が設けられる、照明装置。
【請求項２】
前記環状支持部の外周面に凹凸が設けられる、請求項１に記載の照明装置。
【請求項３】
前記厚さ方向に延在すると共に周方向に隣り合う複数の畝状の突出部が前記外周面に設けられる、請求項２に記載の照明装置。
【請求項４】
略球の一部からなる複数の突出部、又は略球の一部の形状を有する複数の孔が、前記環状支持部における前記厚さ方向の投光側面に略均等な密度で設けられる、請求項１乃至３のいずれか１つに記載の照明装置。
【請求項５】
前記光学部材は、ショア（Ａ）硬度が５０〜９０のゴム弾性体で構成されている、請求項１乃至４のいずれか１つに記載の照明装置。
【請求項６】
前記光学部材は、シリコーン樹脂組成物で構成される、請求項１乃至５のいずれか１つに記載の照明装置。
【発明の詳細な説明】
【技術分野】
【０００１】
本開示は、照明装置に関する。
【背景技術】
【０００２】
従来、照明装置としては、特許文献１に記載されているものがある。この照明装置は、筐体、光源、及びレンズを備える。光源は、筐体内に配置され、レンズは、筐体内における光源よりも投光側に配置される。レンズは、光源からの光を受けて、入射した光の配光を実行し、配光を実行した光を投光部から投光領域に投光する。
【先行技術文献】
【特許文献】
【０００３】
【特許文献１】特開２０１７−６７８３１号公報
【発明の概要】
【発明が解決しようとする課題】
【０００４】
レンズの入光部から入光した光の一部は、レンズ内を進行して、レンズの投光側かつ外周側に設けられた外周面部に到達し、その外周面部から出射する。ここで、この外周面部から出射する光は、照明装置外に出ることがなくて照明装置内に留まり続ける迷光となり易くて、照明装置内で減衰され易く、照明装置の光の取出効率を低下させる。また、当該外周面部から出射される光は、照射領域の周辺部に色ムラを引き起こし易い。
【０００５】
そこで、本開示の目的は、光の取出効率を高くし易く、照射光の色ムラも抑制し易い照明装置を提供することにある。
【課題を解決するための手段】
【０００６】
上記課題を解決するため、本開示に係る照明装置は、係止部を有する内周面を含む筐体と、筐体内に配置され、基板、及び基板に実装された発光素子を有する光源と、光源からの光が入光する入光部、及び光を投光する投光部を有する光学部材と、を備え、光学部材は、径方向の外側に突出すると共に係止部に係止される環状支持部を基板の厚さ方向の投光側に有し、環状支持部の外面には、凹凸が設けられる。
【発明の効果】
【０００７】
本開示に係る照明装置によれば、光の取出効率を高くし易く、照射光の色ムラも抑制し易い。
【図面の簡単な説明】
【０００８】
【図１】本開示の一実施形態に係る照明装置の主要部の斜視図である。
【図２】上記照明装置の主要部の分解斜視図である。
【図３】上記照明装置の主要の中心軸を含む断面図である。
【図４】上記照明装置の基台を下側から見たときの斜視図である。
【図５】光源を保持したホルダを上側から見たときの斜視図である。
【図６】光源を保持したホルダを下側から見たときの斜視図である。
【図７】内側筒部材、レンズ落下防止部材、及びレンズで構成されるアッセンブリを上側から見たときの斜視図である。
【図８】上記アッセンブリを、下側から見たときの斜視図である。
【図９】レンズを上側から見たときの斜視図である。
【図１０】レンズを下側から見たときの平面図である。
【図１１】単独状態のレンズにおける環状支持部の外径φａと、環状溝の内径φｄ等との寸法の比較関係を説明するための部分模式断面図である。
【図１２】（ａ）は、環状支持部の外周面の一部を径方向外方から見たときの模式図であり、（ｂ）は、変形例のレンズにおける（ａ）に対応する模式図であり、（ｃ）は、他の変形例のレンズにおける（ａ）に対応する模式図である。
【図１３】別の変形例のレンズにおける図１０に対応する平面図である。
【図１４】更なる変形例のレンズにおける図１０に対応する平面図である。
【図１５】（ａ）は、別例のレンズにおける環状支持部の一部の模式断面図であり、（ｂ）は、他の別例のレンズにおける（ａ）に対応する模式断面図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明では、図面において、同一構成には同一符号を付し、重複する説明を省略する。また、以下の説明及び図面において、Ｒ方向は、以下で説明するレンズ５０の環状支持部５２の径方向を示し、θ方向は、環状支持部５２の周方向を示す。また、Ｚ方向は、照明装置１の高さ方向を示し、以下で説明する基板２１の厚さ方向に一致する。Ｒ方向、θ方向、及びＺ方向は、互いに直交する。また、以下の説明で、中心軸とは、レンズ５０の中心軸を含む直線（環状支持部５２の中心軸とその延長線）を示す。また、以下の説明では、Ｚ方向が、照明装置１の光源２０から出射される光の光軸方向に一致する場合について説明する。しかし、Ｚ方向は、照明装置の光源から出射される光軸方向に一致しなくてもよい。また、以下の説明で、鉛直方向や水平方向に関連する文言、例えば、下側、上側、水平方向等を用いた場合、それらの文言は、照明装置１からの出射光が鉛直方向下側に照射され、その出射光の光軸が鉛直方向に一致している状態で表現されている。換言すると、本実施例では、照明装置１が、Ｚ方向が鉛直方向に一致するように配置される場合を例に説明を行う。また、本明細書では、下側とは、Ｚ方向の投光側のことを指し、上側とは、Ｚ方向の投光側とは反対側を指す。また、本明細書では、シリコーン樹脂組成物に、全ての成分がシリコーン樹脂である材料が含まれると共に、重量％が最も大きい主成分がシリコーン樹脂であってシリコーン樹脂以外の材料を含む組成物も含まれる。
【００１０】
図１は、本開示の一実施形態に係る照明装置１の主要部の斜視図である。図１を参照して、照明装置１は、埋込型ダウンライトであり、ホール等の建物の天井に埋め込み配置され、下方を照明する。図１に示すように、照明装置１は、筐体としての基台１０と、図示しない枠体を備える。基台１０は、照明装置１の外郭部材であり、有底円筒状部１１を有する。基台１０は、有底円筒状部１１内に光源２０（図５参照）を取り付ける取付台として機能する。基台１０は、上方に突出する複数のフィン１２を有する。基台１０全体は、光源２０で発生する熱を放散させるヒートシンクとしても機能し、特にフィン１２が光源２０からの熱を外気に放熱する。このため、基台１０は、金属材料等の熱伝導率の高い材料によって構成されると好ましい。基台１０は、例えば、アルミダイカスト等で、有底円筒状部１１とフィン１２を一体成形することで構成される。なお、基台は、有底円筒状部とフィンを接合する構成でもよい。この場合、例えば、有底円筒状部に設けた突出部を、フィンに設けられた孔に挿入した後に塑性変形させることで、有底円筒状部とフィンを接続してもよい。また、基台は、フィンを有さなくてもよい。
【００１１】
基台１０には、複数のねじ孔１３が設けられる。これらのねじ孔１３は、基台を枠体に固定するために設けられる。枠体は、円筒外周面を有し、アルミニウム等の金属材料、又はポリブチレンテレフタレート等の樹脂材料によって好適に形成される。詳述しないが、枠体の円筒外周面には、図示しない２つの取付バネが、取り付けられる。２つの取付バネは、枠体外側に中心軸を挟んで径方向（Ｒ方向）に対向するように配置され、ボルト等で枠体の円筒外周面に固定される。各取付バネは、天井の埋め込み孔に固定される前の状態において略水平方向に延在する。取付バネは、例えば、長尺状の金属板によって構成され、板バネ構造を有する。取付バネが鉛直方向に延在するように、取付バネを歪ませ、取付バネを埋め込み孔の周囲に当接させる。取付バネが埋め込み孔内面から受ける水平方向の力で、照明装置１を天井の埋め込み孔内面に固定する。なお、取付バネは３つ以上設けられてもよい。また、取付部の構造は、照明装置を天井に固定できる構造であれば如何なる構造でもよい。
【００１２】
次に、図２〜図８を用いて、照明装置１の主要部の概略構成と、その組立構造について説明する。図２は、照明装置１の主要部の分解斜視図であり、図３は、その主要部の中心軸を含む切断面における断面図である。図２に示すように、照明装置１は、基台１０、内側筒部材３０、レンズ落下防止部材４０、及び光学部材の一例としてのレンズ５０を備える。図２及び図３に示すように、レンズ５０は、略円錐台状の外周面部５１と、環状支持部５２を含み、環状支持部５２は、外周面部５１のＺ方向の下側（投光側）に設けられる。環状支持部５２は、環状のフランジ構造を有し、レンズ５０の下側においてＲ方向外側に突出する。レンズ５０は、基台１０の内周面側に取り付けられる。レンズ５０の材質、物性、及び基台１０に対するレンズ５０の取付構造については、後で詳細に説明する。
【００１３】
図３に示すように、内側筒部材３０は、レンズ５０の外周面部５１と基台１０の内周面１５との間に配置される。内側筒部材３０の上側先端部には、係止爪３１が設けられ、基台１０の内周面１５には、係止爪３１を係止する係合凹部１６が設けられる。係止爪３１を係合凹部１６に係止することで、内側筒部材３０が基台１０に取り付けられる。
【００１４】
レンズ落下防止部材４０は、レンズ５０の下側に取り付けられる。レンズ落下防止部材４０は、筒状部材であり、外周側にＲ方向外側に突出する係止爪４１を有する。この係止爪４１は、基台１０の内周面の下側に設けられた係合凹部１７に係止され、その結果、レンズ落下防止部材４０が、基台１０の内周側かつ下側に取り付けられる。
【００１５】
次に、照明装置１の光源２０、その取付構造、及び照明装置１の組立構造について説明する。図４は、基台１０を下側から見たときの斜視図である。また、図５は、光源２０を保持したホルダ３５を上側から見たときの斜視図であり、図６は、光源２０を保持したホルダ３５を下側から見たときの斜視図である。
【００１６】
図４に示すように、基台１０の主面１８には、光源２０を保持するホルダ３５の上側形状に対応する凹凸構造１９とねじ孔５が設けられる。また、図６に示すように、光源２０は、基板２１と、発光部２２を有する。基板２１は、平面視で略正方形の形状を有し、発光部２２は、円板状の形状を有する。発光部２２は、基板２１の下面（実装面）の略中央に配設される。光源２０は、例えば、ＣＯＢ（Chip On Board）構造を有し、発光部２２は、基板２１に実装された複数のＬＥＤ（light emitting diode）と、複数のＬＥＤを封止する封止部材を含む。
【００１７】
基板２１は、例えば、セラミックス基板、樹脂基板、又はメタルベース基板等で構成される。詳述しないが、基板２１には、一対の電極端子と、所定パターンの金属配線が形成される。一対の電極端子は、ＬＥＤを発光させるための直流電力を外部から受電するために設けられる。また、所定パターンの金属配線は、ＬＥＤ同士を電気的に接続するために設けられる。
【００１８】
ＬＥＤは、発光素子の一例である。ＬＥＤは、例えば、単色の可視光を発するベアチップで構成され、通電されれば青色光を発する青色ＬＥＤチップで構成される。複数のＬＥＤは、例えば基板２１にマトリクス状に配置される。なお、ＬＥＤは、基板に１つのみ実装されてもよい。封止部材は、例えば、透光性樹脂で構成され、蛍光体を含む。蛍光体は、ＬＥＤからの光を波長変換する役割を果たす。封止部材は、例えば、シリコーン樹脂に蛍光体粒子を分散させた蛍光体含有樹脂で構成される。光源２０が白色光を出射し、ＬＥＤが青色光を発光する青色ＬＥＤチップである場合、蛍光体粒子は、例えばＹＡＧ系の黄色蛍光体で構成される。封止部材は、例えば、全てのＬＥＤを一括封止してもよく、複数のＬＥＤを列ごとにライン状に封止してもよく、各ＬＥＤを１つずつ個別に封止してもよい。
【００１９】
図６に示すように、ホルダ３５は、Ｚ方向から見たとき基板２１に重なる基板受部３６を有し、基板受部３６は、基板２１の下側に位置する。基板２１の下面は、基板受部３６の上面で支持される。図５に示すように、ホルダ３５は、基板２１の上面形状に対応する形状の開口３７を有する凹部を含む。基板２１の下面が、基板受部３６に接触するまで、光源２０を凹部に収容し、その後、基板離脱防止部材３８を、その一部がＺ方向から見たときに基板２１に重なるように基板２１の上側に配置する。その後、複数のボルト８を、ホルダ３５の下側から、ホルダ３５、基板離脱防止部材３８、及び基台１０のねじ孔５に締め込む。このボルト８の締め込みにより、光源２０を保持した状態のホルダ３５が、基台１０の主面１８に取り付けられる。
【００２０】
図７は、内側筒部材３０、レンズ落下防止部材４０、及びレンズ５０で構成されるアッセンブリを上側から見たときの斜視図であり、図８は、そのアッセンブリを、下側から見たときの斜視図である。図７に示すように、レンズ５０は、上側に有底の円筒孔５３を有し、円筒孔５３は、上側に略円形の縁６４を有する開口５５を有する。この開口５５の直径は、円板状の発光部２２（図６参照）の直径よりも大きい。
【００２１】
内側筒部材３０、レンズ落下防止部材４０、及びレンズ５０の夫々が、基台１０の内周側に取り付けられると、照明装置１の組立が、完了する。照明装置１の組立を完了した状態で、レンズ５０の略円形の縁６４は、基板２１に接触し、発光部２２は、円筒孔５３内に収容され、開口５５は、光源２０の基板２１の下面で塞がれる。その結果、円筒孔５３は、光源２０を取り囲むように配置され、発光部２２から出射された光は、漏れることなくレンズ５０内に入射する。この構成によって、光の取出効率が高くなる。
【００２２】
図９は、レンズ５０を上側から見たときの斜視図であり、図１０は、レンズ５０を下側から見たときの平面図である。図９に示すように、円筒孔５３は、円筒内周面５４と、Ｒθ平面（水平面）に略平行に広がる底面５６を含む。図９を参照して、円筒内周面５４、及び底面５６は、レンズ５０の入光部７１を構成し、図１０を参照して、レンズ５０は、Ｚ方向の基板２１側とは反対側に投光部５７を有する。
【００２３】
レンズ５０は、透光性を有する透明なシリコーン樹脂（シリコーンゴム）で構成される。また、ショア（Ａ）硬度を、ＪＩＳのＫ６２５３（２０１２）及びＪＩＳのＫ７２１５（１９８６）で規定されている硬度としたとき、レンズ５０は、ショア（Ａ）硬度が５０〜９０のゴム弾性体で構成される。レンズ５０は、波長５５０ｎｍ、肉厚１ｍｍにおける、光線透過率が、８５％以上、好ましくは、９０％以上であると、好ましいが、これに限らない。また、レンズ５０は、シリコーン樹脂で構成されるため、耐熱温度が、例えば、２００℃程度の高温となる。よって、発光部２２の温度が、１４０℃〜１６０℃程度になるような高出力のＬＥＤを採用したとしても、レンズ５０を発光部２２に近接配置しても、レンズ５０が発光部２２からの熱によって熱劣化を起こしにくいか又は熱劣化を起こすことがない。よって、上述のように、レンズ５０を発光部２２に近接配置でき、光の取出効率を大きくできる。また、レンズ５０は、シリコーン樹脂（シリコーンゴム）で構成され、弾性を有する。よって、レンズ５０における開口５５の縁６４（図９参照）を、基板２１におけるレンズ５０側の面に押し込んで、基板２１におけるレンズ５０側の面に接触させても、レンズ５０及び基板２１が損傷することを抑制できる。
【００２４】
図９に示すように、円筒内周面５４には、複数の畝状（蒲鉾状）の突出部５９が設けられる。複数の突出部５９は、θ方向に互いに隣接するように配置され、各突出部５９は、Ｚ方向の一端から他端まで延在する。ＬＥＤは、光軸に沿った方向に波長が短い光が出射され易いのに対し、光軸から離れた方向では波長が長い光が出射され易いという性質を有し、ＬＥＤから出射される光に色ムラが生じることがある。本実施例では、ＬＥＤから出射された光を複数の畝状（蒲鉾状）の突出部５９で混ぜ合わせて拡散でき、色ムラを抑制できる。なお、レンズの入射側の凹部の側面は、Ｚ方向に延在する畝状の突出部以外の拡散部を有してもよい。例えば、レンズの入射側の凹部の側面は、拡散部として、略均等な密度で形成された複数のディンプル（孔）を有してもよく、拡散部として、略均等な密度で形成されると共に略球の一部からなる複数の突出部を有してもよい。又は、レンズの入射側の凹部の側面は、如何なる拡散部も有さなくてもよい。
【００２５】
図３、及び図１０に示すように、レンズ５０は、ノコギリ状の断面を有するフレネルレンズである。レンズ５０は、同心円状の複数の領域に分割された構造を有し、レンズ５０の下側面を含む投光部５７は、階段状の出射面５８を有する。階段状の出射面５８を投光部５７に設けることで、通常のレンズよりも厚さの薄肉化を実現できる。よって、照明装置１を軽量化できると共に、レンズ５０の製造コストも低減できる。なお、投光部は、階段状の出射面以外の薄肉化が可能となる出射面を有してもよく、例えば、Ｚ方向の投光側に行くにしたがって末広がりとなるテーパ面状の出射面を有してもよく、特に、円錐内周面等の出射面を有してもよい。又は、投光部の出射面は円板形状等で構成されてもよく、レンズは厚肉構造であってもよい。
【００２６】
図２、及び図１０に示すように、レンズ５０は、投光側面８３からＺ方向投光側に突出する複数のフィルタ係止部６２を有する。フィルタ係止部６２は、レンズ５０の投光側に円板状のフィルタ（図示せず）を装着するときに用いられる。図１０に示すように、複数のフィルタ係止部６２は、θ方向に略等間隔に設けられ、各フィルタ係止部６２は、断面略Ｌ字状の形状を有し（図２参照）、高さ方向延在部と、径方向延在部を有する。高さ方向延在部は、Ｚ方向に延在し、径方向延在部は、厚さ方向延在部の下側端部からＲ方向内方に延在する。投光側面８３と、高さ方向延在部のＲ方向内側部分と、径方向延在部のＺ方向上側部分は、凹部を画定する。複数のフィルタ係止部６２に含まれる各凹部に、円板状のフィルタの縁部の一部を収容することで、フィルタがレンズ５０の下側に装着される。なお、照明装置１は、レンズ５０にフィルタを取り付けなくてもよく、フィルタを用いずに使用してもよい。フィルタは、必要なときにレンズ５０に取り付けられればよい。又は、レンズは、フィルタ係止部を有さなくてもよく、フィルタが取り付けられない構造を有してもよい。
【００２７】
レンズ５０のＺ方向投光側において外周側に位置する環状縁部は、環状支持部５２を構成する。再度、図３を参照して、レンズ５０は、基台１０に係止されて、固定される。次に、基台１０に対するレンズ５０の取付構造について説明する。図３に示すように、基台１０は、係止部の一例としての環状溝７を有し、環状溝７は、Ｒ方向内側のみがＲ方向内側に開口する。
【００２８】
図１１は、単独状態のレンズ５０における環状支持部５２の外径φａと、環状溝７の内径φｄ等との寸法の比較関係を説明するための部分模式断面図である。図１１に示すように、レンズ５０が単独状態で存在しているときの、レンズ５０の環状支持部５２の外径φａは、基台１０において環状溝７が設けられない内周面部の内径φｂよりも大きくなっており、基台１０の外周面の外径φｃよりも小さくなっている。更には、環状溝７の底部９の内径φｄは、単独状態のレンズ５０における環状支持部５２の外径φａよりも小さくなっている。
【００２９】
上述のように、レンズ５０は、ショア（Ａ）硬度が５０〜９０のシリコーンゴム弾性体で構成されて弾性を有しているので、アクリル製の硬いレンズやポリカーボネート製の硬いレンズとは異なって圧縮して歪ませることができる。レンズ５０は、環状支持部５２の外径が小さくなるように圧縮された状態で、基台１０の下側から上側に挿入され、基台１０の内周面に圧入される。その圧入は、環状支持部５２の全部又は外周側の一部が環状溝７に嵌入されるまで実行される。レンズ５０は弾性を有するので、レンズ５０はこの圧入で破損することはない。また、上述のように、環状溝７の底部９の内径は、単独状態のレンズ５０における環状支持部５２の外径よりも小さくなっている。この構成により、環状支持部５２の全部又は外周側の一部が環状溝７に嵌入された状態で、環状支持部５２のＲ方向外側の先端部は、環状溝７の底部９にＲ方向内側に押圧されて圧縮される。この圧縮で、環状支持部５２と環状溝７の底部９との間に隙間が生じることが防止され、レンズ５０の外周面部５１と基台１０の内周面で画定されるスペースが外部に対して密閉される。よって、埃や虫が照明装置１内部に侵入することを抑制でき、照明装置１の点灯時に照射面に埃や虫による影が生成しにくい。その結果、その影により、照明性能が低下することを抑制でき、清潔感も良好なものにできる。なお、環状支持部は、環状溝に圧入されなくてもよく、環状溝の底に対して間隔をおいて配置されてもよい。また、環状支持部の取付部も、環状溝でなくてもよく、同一平面上に位置して周方向に間隔をおいて配置される複数の非環状溝であってもよい。要は、取付部は、環状支持部を係止できて固定できるものであれば如何なる構造でもよい。
【００３０】
レンズ５０は、環状支持部５２を環状溝７に係止することで基台１０の内周側に取り付けられる。レンズ５０を基台１０に固定した後、レンズ落下防止部材４０（図３参照）が、基台１０におけるレンズ５０の下側に取り付けられる。Ｚ方向から見たとき、レンズ落下防止部材４０は、レンズ５０に重なる部分を有する。この構成により、何らかの問題で仮にレンズ５０が落下したとしても、その落下したレンズ５０をレンズ落下防止部材４０で受け止めることが可能になる。このようにして、レンズ５０の落下を二重の落下防止機構で防止し、安全に万全を期している。
【００３１】
なお、単独状態のレンズ５０の環状支持部５２の外径φａが、基台１０の内周面の内径φｂよりも大きいので、レンズ５０を単独で基台１０の内周側に確実に固定できる。よって、レンズ５０を基台１０に固定するためのレンズ固定部材を必要としない。また、レンズ５０の落下を防止するレンズ落下防止部材４０を省略することもできる。よって、この場合、部品点数を省略できて、製造コストを低減できる。また、レンズ落下防止部材４０の内周面をグレーや黒で着色すると、当該内周面での光の反射を抑制でき、人が下側から照明装置１を見たときの眩しさを抑制できて好ましい。
【００３２】
再度、図９、及び図１０を参照して、環状支持部５２の外周面８０には、凹凸が設けられる。より詳しくは、外周面８０には、複数の畝状の突出部８１が設けられ、各畝状の突出部８１は、外周面８０のＺ方向の上端から下端までＺ方向に延在する。また、複数の畝状の突出部８１は、外周面８０において最も外径が大きい箇所の全域にθ方向に隣接するように設けられる。外周面８０に複数の畝状の突出部８１を設けることで、結果として、外周面８０に凹凸が生じる。
【００３３】
また、図１０に示すように、環状支持部５２におけるＺ方向の投光側面８３にも、凹凸が設けられる。より詳しくは、環状支持部５２におけるＺ方向の投光側面８３には、複数のディンプル（略球の一部の形状を有するゴルフボールの孔状の孔）８４が、略均等な密度で設けられる。ディンプル８４は、投光側面８３においてフィルタ係止部６２よりもＲ方向外方の領域に設けられる。環状支持部５２の投光側面８３に複数のディンプル８４を設けることで、結果として、投光側面８３に凹凸が生じる。図１１に示すように、環状支持部５２の全部又は外周側の一部が環状溝７に収容されている状態で、ディンプル８４は、環状溝７内に位置する。また、環状支持部５２の全部又は外周側の一部が環状溝７に収容されている状態で、各畝状の突出部８１は、環状溝７の底部９に接触する。
【００３４】
以上、照明装置１は、環状溝（係止部）７を有する内周面１５を含む基台（筐体）１０と、基台１０内に配置され、基板２１、及び基板２１に実装されたＬＥＤ（発光素子）を有する光源２０を備える。また、照明装置１は、光源２０からの光が入光する入光部７１、及び光を投光する投光部５７を有するレンズ（光学部材）５０を備える。また、レンズ５０は、径方向（Ｒ方向）の外側に突出すると共に環状溝７に係止される環状支持部５２を基板２１の厚さ方向（Ｚ方向）の投光側に有する。環状支持部５２の外面には、凹凸が設けられる。
【００３５】
したがって、レンズ５０内を進行して、レンズ５０の投光側かつ外周側に設けられた外周面８０に到達し、その外周面８０から出射する光の一部を、凹凸により照射領域側に反射でき、照明装置１外に照射できる。したがって、照明装置１内に留まり続ける迷光を抑制でき、照明装置１の光の取出効率を上げることができる。また、外周面８０から出射する光を、凹凸で混ぜ合わせて拡散させることができる。よって、照射光の周辺領域の色ムラを抑制でき、美しい光を照射できる。
【００３６】
また、環状支持部５２の外周面８０に凹凸が設けられてもよい。
【００３７】
上記構成によれば、環状支持部５２の外周面８０から出射されて色ムラを引き起こし易い光を、その照射面である外周面８０に設けられた凹凸で混ぜ合わせて拡散できる。よって、照射光の周辺領域の色ムラを効果的に抑制できる。
【００３８】
また、Ｚ方向に延在すると共にθ方向に隣り合う複数の畝状の突出部８１が外周面８０に設けられてもよい。
【００３９】
上記構成によれば、外周面８０に設けられるのが、θ方向に隣り合う複数の畝状の突出部８１であるので、環状支持部５２の外周面８０から出射された光を、θ方向に関して効果的に混ぜ合わせることができる。よって、照射光の周辺領域の色ムラを効果的に抑制できる。また、外周面８０に設けられるのが、Ｚ方向に延在する畝状の突出部８１であるので、レンズ５０をその成形で用いる金型から離型させ易い。よって、レンズ５０を射出成形等の成形で容易に形成できる。そして、畝状の突出部８１に対応する樋状の溝を金型に設けるだけで、外周面８０に凹凸を容易に形成できる。
【００４０】
また、略球の一部の形状を有する複数のディンプル８４が、環状支持部５２におけるＺ方向の投光側面８３に略均等な密度で設けられてもよい。
【００４１】
上記構成によれば、複数のディンプル８４が、環状支持部５２におけるＺ方向の投光側面８３に設けられる。したがって、投光側面８３に到達した迷光を、ディンプル８４でＲ方向内方側に反射でき、当該迷光が、照明装置１外部に取り出し易くなる。よって、光の取出効率を、効果的に上昇させることができる。また、環状支持部５２におけるＺ方向の投光側面８３に設けられるのが、略球の一部の形状を有するディンプル８４であるので、レンズ５０をその成形で用いる金型から離型させ易い。そして、ディンプル８４に対応する略球の一部からなる突出部を金型に設けるだけで、投光側面８３に凹凸を容易に形成できる。
【００４２】
また、レンズ５０は、ショア（Ａ）硬度が５０〜９０のゴム弾性体で構成されてもよい。
【００４３】
上記構成によれば、レンズ５０が、大きな弾性を有する。よって、環状支持部５２の外面に凹凸を設けても、レンズ５０を、破損させることなく金型から円滑に離型できる。
【００４４】
また、レンズ５０は、シリコーン樹脂組成物で構成されてもよい。
【００４５】
上記構成によれば、ショア（Ａ）硬度が５０〜９０のゴム弾性体であって、透光性も高いレンズ５０を形成し易い。また、シリコーン樹脂組成物は、成形において金型に入れる際、粘度が低くて流動性が高い液体になり易い。よって、材料を金型に隙間なく充填し易くて、環状支持部５２の凹凸の転写性を高くできる。
【００４６】
なお、本開示は、上記実施形態およびその変形例に限定されるものではなく、本願の特許請求の範囲に記載された事項およびその均等な範囲において種々の改良や変更が可能である。
【００４７】
例えば、上記実施形態では、レンズ５０の環状支持部５２の外周面８０と、投光側面８３とに凹凸を設ける場合について説明した。しかし、凹凸は、レンズの環状支持部の外周面のみに設けられてもよく、レンズの環状支持部の投光側面のみに設けられてもよい。又は、凹凸は、レンズの環状支持部の上側面（Ｚ方向の基板側の面）のみに設けられてもよく、上側面と、環状支持部の外周面と環状支持部の投光側面とのうちの少なくとも一方とに設けられてもよい。
【００４８】
また、図１２（ａ）、すなわち、環状支持部５２の外周面８０の一部をＲ方向外方から見たときの模式図に示すように、外周面８０にＺ方向に延在する畝状の突出部（蒲鉾状の突出部）８１を設ける場合について説明した。しかし、環状支持部の外周面に、畝状の突出部（蒲鉾状の突出部）の替わりに、周方向に隣り合うと共にＺ方向に延在する複数の樋状の溝を設けることで、環状支持部の外周面に凹凸を設けてもよい。又は、環状支持部の外周面に、Ｚ方向に延在する畝状の突出部と、Ｚ方向に延在する樋状の溝とを、θ方向に交互に形成することにより、環状支持部の外周面に凹凸を設けてもよい。
【００４９】
又は、図１２（ｂ）、すなわち、変形例のレンズ１５０における図１２（ａ）に対応する模式図に示すように、レンズ１５０の環状支持部１５２の外周面１８０に、互いに密着した状態の複数のディンプル１８４を設けてもよい。そして、この密着した複数のディンプル１８４の形成によって、環状支持部１５２の外周面１８０に凹凸を形成してもよい。又は、環状支持部の外周面に、互いに密着した状態の複数のディンプルを設ける代わりに、互いに密着した状態の複数の球の一部からなる突出部を設けることで、環状支持部の外周面に凹凸を設けてもよい。又は、環状支持部の外周面に、互いに密着した状態で、複数のディンプルと、複数の球の一部からなる突出部とを設けることで、環状支持部の外周面に凹凸を設けてもよい。又は、図１２（ｃ）、すなわち、他の変形例のレンズ２５０における図１２（ａ）に対応する模式図に示すように、複数のディンプル２８４を、環状支持部２５２の外周面２８０に離散的に配置してもよい。又は、ディンプルの代わりに、複数の球の一部からなる突出部を、環状支持部の外周面に離散的に配置してもよい。又は、複数のディンプルと、複数の球の一部からなる突出部の両方を、環状支持部の外周面に離散的に配置してもよい。
【００５０】
また、図１０に示すように、環状支持部５２におけるＺ方向の投光側面８３に複数のディンプル８４を密着配置する場合について説明した。しかし、環状支持部におけるＺ方向の投光側面に、略球の一部からなる複数の突出部を密着配置してもよく、環状支持部におけるＺ方向の投光側面に、複数のディンプルと略球の一部からなる複数の突出部とを密着配置してもよい。
【００５１】
又は、図１３、すなわち、別の変形例のレンズ３５０における図１０に対応する平面図に示すように、環状支持部３５２におけるＺ方向の投光側面３８３に複数のディンプル３８４を略均等な密度で離散的に形成してもよい。そして、この複数のディンプル３８４の離散的な形成によって、環状支持部３５２におけるＺ方向の投光側面３８３に凹凸を形成してもよい。又は、環状支持部におけるＺ方向の投光側面に複数の球の一部からなる突出部を略均等な密度で離散的に形成することで、投光側面に凹凸を形成してもよい。又は、環状支持部におけるＺ方向の投光側面に、複数のディンプルと、複数の球の一部からなる突出部を、略均等な密度で離散的に形成することで、投光側面に凹凸を形成してもよい。
【００５２】
又は、図１４、すなわち、更なる変形例のレンズ４５０における図１０に対応する平面図に示すように、環状支持部４５２におけるＺ方向の投光側面４８３にＲ方向に延びる複数の畝状の突出部４８４をθ方向に隣り合うように形成することで、投光側面４８３に凹凸を形成してもよい。又は、環状支持部におけるＺ方向の投光側面にＲ方向に延びる複数の樋状の溝をθ方向に隣り合うように形成することで、投光側面に凹凸を形成してもよい。又は、環状支持部におけるＺ方向の投光側面に、Ｒ方向に延びる複数の畝状の突出部と、Ｒ方向に延びる複数の樋状の溝とを、θ方向に隣り合うように交互に設けることで、投光側面に凹凸を形成してもよい。又は、環状支持部におけるＺ方向の投光側面にＲ方向に延びる複数の直方体状の突出部をθ方向に隣り合うように設けてもよく、投光側面に、Ｒ方向に延びる複数の直方体形状の溝をθ方向に隣り合うように設けてもよい。そして、これらの直方体状の突出部や直方体形状の溝の形成で、環状支持部の投光側面に凹凸を形成してもよい。又は、環状支持部の外面に設ける突出部は、球の一部からなる突出部や畝状の突出部でなくてもよく、それ以外の如何なる形状の突出部でもよい。例えば、環状支持部の外面に設ける突出部は、四角錐状の突出部や、円錐台状の突出部や、直方体や立方体状の突出部等であってもよい。又は、環状支持部の外面に設ける凹部は、ディンプルでなくてもよく、それ以外の如何なる形状の凹部でもよい。例えば、環状支持部の外面に設ける凹部は、四角錐状の凹部や、円錐台状の凹部や、直方体や立方体状の凹部等であってもよい。また、環状支持部の外面に、突出部と凹部の両方を設けることで、外面に凹凸を設けてもよく、環状支持部の外面に、突出部と凹部のうちの一方のみを設けることで、外面に凹凸を設けてもよい。要は、環状支持部の外面に設ける突出部と凹部の少なくとも一方が、環状支持部の外面に凹凸を形成できる構造であれば如何なる構造でもよい。
【００５３】
また、レンズの環状支持部の外面に設ける突出部や凹部のサイズは、特に限定されず、環状支持部の外面に設けられるサイズであれば如何なるサイズもよい。しかし、環状支持部の外面に設ける突出部や凹部のサイズは、次に説明するサイズであると好ましい。図１５（ａ）は、別例のレンズ５５０における環状支持部５５２の一部の模式断面図である。図１５（ａ）に示すように、ディンプル５８４を投光側面５８３に形成する場合、ディンプル５８４の開口の直径が、０.５ｍｍ〜２.０ｍｍであると、光の拡散を効果的に実行でき、周辺光の色ムラを効果的に抑制でき、光の照射領域側への反射も効率的に実行できる。又は、ディンプルの代わりに円板形状の凹部を採用してもよく、この場合でも、円形の開口の直径が、０.５ｍｍ〜２.０ｍｍであると、周辺光の色ムラを効果的に抑制でき、光の照射領域側への反射も効率的に実行できる。
【００５４】
また、図１５（ｂ）は、他の別例のレンズ６５０における環状支持部６５２の一部の模式断面図である。図１５（ｂ）に示すように、先端面６９０が円形となる円板状の突出部６８４を投光側面６８３に形成する場合、先端面６９０の直径が、０.５ｍｍ〜２.０ｍｍであると、光の拡散を効果的に実行でき、周辺光の色ムラを効果的に抑制できる。又は、円板状の突出部６８４の代わりに、球の一部からなる突出部（例えば、半球状の突出部）を採用する場合でも、Ｚ方向下側から見たときの平面視における円の直径が、０.５ｍｍ〜２.０ｍｍであると、光の拡散を効果的に実行できると共に、周辺光の色ムラも効果的に抑制できて好ましい。
【００５５】
また、レンズ５０が、ショア（Ａ）硬度が５０〜９０であると共に透光性を有するシリコーンゴム弾性体で構成される場合について説明した。しかし、レンズは、ショア（Ａ）硬度が５０以下であると共に透光性を有するシリコーンゴム組成物弾性体で構成されてもよく、ショア（Ａ）硬度が９０以上であると共に透光性を有するシリコーンゴム組成物弾性体で構成されてもよい。又は、レンズは、シリコーンゴム組成物以外の透光性を有するゴム弾性体で構成されてもよく、この場合においても、レンズは、ショア（Ａ）硬度が５０〜９０であると共に透光性を有するゴム弾性体で構成されると好ましい。又は、レンズは、アクリル、ポリカーボネート、又は、それらの組成物で構成されてもよい。
【００５６】
また、光学部材がレンズ５０である場合について説明した。しかし、光学部材は、レンズ機能を有さない透光性カバー等でもよい。また、照明装置１が、埋め込み型ライトである場合について説明した。しかし、照明装置は、レールに吊り下げされる形式や、天井に吊り下げされる形式でもよい。要は、照明装置は、係止部を有する内周面を含む筐体と、筐体内に配置され、基板、及び基板に実装された発光素子を有する光源と、光源からの光が入光する入光部、光を投光する投光部を有する光学部材と、を備え、光学部材が、径方向の外側に突出すると共に係止部に係止される環状支持部を基板の厚さ方向の投光側に有し、環状支持部の外面に、凹凸が設けられる構成を有すれば、如何なる構造の照明装置でもよい。
【符号の説明】
【００５７】
７  環状溝、  １０  基台、  １５  基台の内周面、  ２０  光源、  ２１  基板、  ５０,１５０,２５０,３５０,４５０,５５０,６５０  レンズ、  ５２,１５２,２５２,３５２,４５２,５５２,６５２  環状支持部、  ５７  投光部、  ７１  入光部、  ８０,１８０,２８０  環状支持部の外周面、  ８１  畝状の突出部、  ８３,３８３,４８３,５８３,６８３  環状支持部の投光側面、  ８４,３８４,５８４  ディンプル、  Ｒ方向  環状支持部の径方向、  θ方向  環状支持部の周方向、  Ｚ方向  照明装置の高さ方向（基板の厚さ方向）。
【図１】
2019153421.tif 000003
【図２】
2019153421.tif 000004
【図３】
2019153421.tif 000005
【図４】
2019153421.tif 000006
【図５】
2019153421.tif 000007
【図６】
2019153421.tif 000008
【図７】
2019153421.tif 000009
【図８】
2019153421.tif 000010
【図９】
2019153421.tif 000011
【図１０】
2019153421.tif 000012
【図１１】
2019153421.tif 000013
【図１２】
2019153421.tif 000014
【図１３】
2019153421.tif 000015
【図１４】
2019153421.tif 000016
【図１５】
2019153421.tif 000017